(57)【特許請求の範囲】
【請求項１】
可溶体と、
前記可溶体が内部に収容された収容室が一方向に貫通して設けられているハウジングと、
前記収容室における両端の開口それぞれを塞ぐ２枚の板状の部材であって、少なくとも１枚が透明性を有する２枚のカバーと、を備え、
前記２枚のカバーそれぞれが、平板状のカバー本体、及び、該カバー本体の面内方向に沿って延びる第１姿勢と、対面する他方の前記カバーに向かうように前記カバー本体の面外方向に沿って突出する第２姿勢との間で回動自在に前記カバー本体に連結された回動片、を有しており、
前記回動片は、前記カバーの前記ハウジングへの取付け時には前記第１姿勢に配置され、取付け後には前記第２姿勢へと回動されるものであり、
前記２枚のカバーそれぞれから前記第２姿勢へと回動された回動片が互いに結合されるように構成されることを特徴とするヒューズユニット。
【請求項２】
前記ハウジングには、前記２枚のカバーそれぞれが、前記収容室の貫通方向と交差する挿入方向に前記開口を塞ぐ位置まで挿入される、前記ハウジングの外面に挿入口が開口した２つの挿入路が設けられることを特徴とする請求項１に記載のヒューズユニット。
【請求項３】
前記回動片は、前記挿入後には前記第２姿勢へと回動されて、前記ハウジングの内側において前記挿入方向の前方を向いた内壁面に当接するものであり、
前記２枚のカバーそれぞれから前記第２姿勢へと回動された回動片が、前記内壁面に当接しつつ互いに結合されるように構成されることを特徴とする請求項２に記載のヒューズユニット。
【請求項４】
前記ハウジングにおいて前記２枚のカバーそれぞれの前記カバー本体の外縁が当接する少なくとも一部の内壁面に、前記外縁が嵌め込まれる嵌入溝が設けられていることを特徴とする請求項２又は３に記載のヒューズユニット。
【請求項５】
前記収容室が、前記挿入方向に沿って複数配列されて前記ハウジングに設けられており、
前記挿入路が、前記収容室を区画する区画壁に設けられて前記カバー本体が貫通するスリットを含んで構成されることを特徴とする請求項２〜４のうち何れか一項に記載のヒューズユニット。
【請求項６】
前記２枚のカバーそれぞれの前記回動片が、前記第２姿勢へと回動されたときに互いに対面するように一対設けられていることを特徴とする請求項１〜５のうち何れか一項に記載のヒューズユニット。
【請求項７】
前記回動片は短冊状に形成され、その一端が前記カバー本体に回動自在に連結されるとともに他端が鉤型に屈曲した形状を有しており、
前記２枚のカバーそれぞれから前記第２姿勢へと回動された回動片は、前記他端同士が互いに結合することを特徴とする請求項１〜６のうち何れか一項に記載のヒューズユニット。
【請求項８】
前記２枚のカバーのうち一方のカバーの前記回動片において鉤型に屈曲した前記他端が結合時に嵌入する穴が、他方のカバーの前記回動片に設けられていることを特徴とする請求項７に記載のヒューズユニット。
【発明の詳細な説明】
【技術分野】
【０００１】
本発明は、ヒューズユニットに関する。
【背景技術】
【０００２】
従来、例えば車両に搭載されるバッテリの電力を、可溶体を介して車両内の回路に供給するヒューズユニットが知られている（例えば、特許文献１参照）。このようなヒューズユニットでは、閾値を越えた電流が流れたときの溶断が視認可能なように可溶体がハウジングに収容されている。図５には、従来のヒューズユニットにおける可溶体の周辺構造の一例を示す模式図が示されている。
【０００３】
この図５に示されているヒューズユニット５では、３つの可溶体５１が並列してハウジング５２に収容されている。ハウジング５２には、可溶体５１を１つずつ内部に収容する筒状の収容室５２１が、３つ並列して設けられている。これら３つの収容室５２１の開口５２１ａは、可溶体５１が溶断した際の金属の飛散防止等のために帯板状のカバー５３で塞がれている。カバー５３は透明性を有する樹脂で形成されており、各収容室５１の内部の可溶体５１の溶断はこのカバー５３越しに視認される。
【０００４】
カバー５３の両端には、このカバー５３をハウジング５２に固定するための一対の係止爪５３１が設けられている。また、ハウジング５２では、収容室５２１を区画する壁のうち、図中の左右方向両端に位置する一対の壁５２１ｂそれぞれに、カバー５３の係止爪５３１が係止する係止孔５２１ｃが設けられている。図６には、図５に示されているカバーがハウジングに取り付けられる様子が示されている。
【０００５】
図６に示されているように、ハウジング５２に対してカバー５３が取付け方向Ｄ５１に押し込まれると、一対の係止爪５３１は、係止孔５２１ｃが設けられた一対の壁５２１ｂにその先端が当接することで、樹脂の柔軟性により開き方向Ｄ５２に開きつつハウジング５２に進入する。やがて、その先端が係止孔５２１ｃに達すると、その先端が係止孔５２１ｃに嵌入して係止することで一対の係止爪５３１が閉じる。カバー５３は、このようにしてハウジング５２に取り付けられる。
【０００６】
ここで、係止孔５２１ｃが設けられた一対の壁５２１ｂと、ハウジング５２の外壁５２ａとの間には、一対の係止爪５３１が上記のように開きつつ進入できるように進入空間５２ｂが設けられている。このような進入空間５２ｂにより、一対の係止爪５３１は、ハウジング５２と干渉することなくハウジング５２に進入可能となっている。
【先行技術文献】
【特許文献】
【０００７】
【特許文献１】特開２０１４−９６２１７号公報
【発明の概要】
【発明が解決しようとする課題】
【０００８】
ここで、図５及び図６に示されているヒューズユニット５では、カバー５３のハウジング５２への取付けのために、上記のような進入空間５２ｂを必要とすることからその外形寸法が大きくなりがちである。一方、近年では、車両の省スペース化が進み、上記のようなヒューズユニットを設置するための空間的な余裕が減りつつあり、ヒューズユニットはなるべく小型である方が望ましい。
【０００９】
従って、本発明は、上記のような問題点に着目し、可溶体における金属の飛散防止等のためにカバーを設けつつも小型化が図られたヒューズユニットを提供することを目的とする。
【課題を解決するための手段】
【００１０】
上記課題を解決するために、請求項１に記載の発明は、可溶体と、前記可溶体が内部に収容された収容室が一方向に貫通して設けられているハウジングと、前記収容室における両端の開口それぞれを塞ぐ２枚の板状の部材であって、少なくとも１枚が透明性を有する２枚のカバーと、を備え、前記２枚のカバーそれぞれが、平板状のカバー本体、及び、該カバー本体の面内方向に沿って延びる第１姿勢と、対面する他方の前記カバーに向かうように前記カバー本体の面外方向に沿って突出する第２姿勢との間で回動自在に前記カバー本体に連結された回動片、を有しており、前記回動片は、前記カバーの前記ハウジングへの取付け時には前記第１姿勢に配置され、取付け後には前記第２姿勢へと回動されるものであり、前記２枚のカバーそれぞれから前記第２姿勢へと回動された回動片が互いに結合されるように構成されることを特徴とするヒューズユニットとなっている。
【００１１】
請求項２に記載の発明は、請求項１に記載のヒューズユニットにおいて、前記ハウジングには、前記２枚のカバーそれぞれが、前記収容室の貫通方向と交差する挿入方向に前記開口を塞ぐ位置まで挿入される、前記ハウジングの外面に挿入口が開口した２つの挿入路が設けられることを特徴とする。
【００１２】
請求項３に記載の発明は、請求項２に記載のヒューズユニットにおいて、前記回動片は、前記挿入後には前記第２姿勢へと回動されて、前記ハウジングの内側において前記挿入方向の前方を向いた内壁面に当接するものであり、前記２枚のカバーそれぞれから前記第２姿勢へと回動された回動片が、前記内壁面に当接しつつ互いに結合されるように構成されることを特徴とする。
【００１３】
請求項４に記載の発明は、請求項２又は３に記載のヒューズユニットにおいて、前記ハウジングにおいて前記２枚のカバーそれぞれの前記カバー本体の外縁が当接する少なくとも一部の内壁面に、前記外縁が嵌め込まれる嵌入溝が設けられていることを特徴とする。
【００１４】
請求項５に記載の発明は、請求項２〜４のうち何れか一項に記載のヒューズユニットにおいて、前記収容室が、前記挿入方向に沿って複数配列されて前記ハウジングに設けられており、前記挿入路が、前記収容室を区画する区画壁に設けられて前記カバー本体が貫通するスリットを含んで構成されることを特徴とする。
【００１５】
請求項６に記載の発明は、請求項１〜５のうち何れか一項に記載のヒューズユニットにおいて、前記２枚のカバーそれぞれの前記回動片が、前記第２姿勢へと回動されたときに互いに対面するように一対設けられていることを特徴とする。
【００１６】
請求項７に記載の発明は、請求項１〜６のうち何れか一項に記載のヒューズユニットにおいて、前記回動片は短冊状に形成され、その一端が前記カバー本体に回動自在に連結されるとともに他端が鉤型に屈曲した形状を有しており、前記２枚のカバーそれぞれから前記第２姿勢へと回動された回動片は、前記他端同士が互いに結合することを特徴とする。
【００１７】
請求項８に記載の発明は、請求項７に記載のヒューズユニットにおいて、前記２枚のカバーのうち一方のカバーの前記回動片において鉤型に屈曲した前記他端が結合時に嵌入する穴が、他方のカバーの前記回動片に設けられていることを特徴とする。
【発明の効果】
【００１８】
請求項１に記載の発明によれば、収容室の開口を塞いで可溶体における金属の飛散防止等の役割を果たす２枚のカバーは、開口を塞いだ後、上記回動片が上記第２姿勢へと回動されて互いに結合されることで保持される。このとき、回動片は、対面するカバーに向かうようにカバー本体の面外方向に沿って突出する第２姿勢へと回動されるので、この回動片の回動時に、平面視の外形寸法が大きくなるような変形がカバーに生じない。このように、カバーの取付けから、回動片の回動と結合によるハウジングへの保持に至るまで、カバーには、平面視の外形寸法が拡大するような変形が生じない。このため、例えば図６を参照して説明した進入空間５２ｂのような、カバーをハウジングに取り付ける際の外形寸法の拡大を見越した空間余裕が不要であり、その分、ハウジングの小型化を図ることができる。従って、請求項１に記載の発明によれば、可溶体における金属の飛散防止等のためにカバーを設けつつも、ヒューズユニットの小型化を図ることができる。
【００１９】
請求項２に記載の発明によれば、２枚のカバーは、開口を塞ぐ位置に達するまでは上記の挿入路に単純に挿入されるのみである。このため、この挿入中にも、例えば図６を参照して説明した、平面視の外形寸法が拡大するような変形がカバーに生じない。このように、請求項２に記載の発明によれば、カバーの挿入から、回動片の回動と結合によるハウジングへの保持に至るまで、カバーには、平面視の外形寸法が拡大するような変形が生じない。従って、請求項２に記載の発明によれば、ヒューズユニットについて一層の小型化を図ることができる。
【００２０】
請求項３に記載の発明によれば、上記回動片が上記第２姿勢へと回動され、上記内壁面に当接しつつ互いに結合されることでカバーをハウジングの内部に抜け止めされた状態で保持することができる。
【００２１】
請求項４に記載の発明によれば、カバー本体の外縁が当接する少なくとも一部の内壁面に、その外縁が嵌め込まれる嵌入溝が設けられていることから、ハウジングの内部におけるカバーの姿勢の安定化を図ることができる。
【００２２】
請求項５に記載の発明によれば、ハウジングにおけるカバーの挿入路が、複数の収容室を区画する区画壁に設けられてカバー本体が貫通するスリットを含んで構成されたものとなっている。これにより、挿入路におけるカバーの姿勢の安定化を図ることができる。
【００２３】
請求項６に記載の発明によれば、２枚のカバーそれぞれの回動片が一対設けられ、２枚のカバーが、各カバーに一対ずつ設けられた回動片で結合されることから、ハウジングに対する２枚のカバーの保持強度を高めることができる。
【００２４】
請求項７に記載の発明によれば、２枚のカバーそれぞれから第２姿勢へと回動された回動片は、鉤型に屈曲した上記他端同士が互いに結合することから、その結合強度を高めることができる。
【００２５】
請求項８に記載の発明によれば、一方のカバーの回動片の上記の他端が結合時に嵌入する穴が、他方のカバーの回動片に設けられている。この突起の穴への嵌入により、回動片の結合強度を一層高めることができる。
【図面の簡単な説明】
【００２６】
【図１】本発明の一実施形態のヒューズユニットを示す斜視図である。
【図２】図１に示されているヒューズユニットの平面視形状を示す平面図である。
【図３】図１に示されている２枚のカバーに設けられた回動片が互いに結合される様子を、図１及び図２におけるＡ−Ａ断面で示す図である。
【図４】回動片における結合部の拡大図である。
【図５】従来のヒューズユニットにおける可溶体の周辺構造の一例を示す模式図である。
【図６】図５に示されているカバーがハウジングに取り付けられる様子を示す図である。
【発明を実施するための形態】
【００２７】
本発明の一実施形態のヒューズユニットについて図１〜図４を参照して説明する。図１は、本発明の一実施形態のヒューズユニットを示す斜視図であり、図２は、そのヒューズユニットの平面視形状を示す平面図である。また、図３は、図１に示されている２枚のカバーに設けられた回動片が互いに結合される様子を、図１及び図２におけるＡ−Ａ断面で示す図である。図４は、回動片における結合部の拡大図である。
【００２８】
本実施形態のヒューズユニット１は、バッテリから供給される電力を回路に供給するためのものである。このヒューズユニット１は、バッテリから電力が供給される１つの電力端子１１と、回路に接続される３つの回路端子１２と、３つの可溶体１３とを備えている。電力端子１１は導電性金属で板状に形成されており、このヒューズユニット１をネジ止め等によりバッテリに電気的及び機械的に接続するための貫通孔１１ａが設けられている。各回路端子１２も導電性金属で板状に形成されており、回路から延びる電線の一端に設けられた丸端子をナット締め等により接続するための端子ボルト１２ａが立設されている。可溶体１３は、電力端子１１と回路端子１２とを電気的に繋ぐとともに、閾値を超える電流が流れると溶断することにより、回路に過電流が流れることを防ぐ役割を担っている。ヒューズユニット１は、電力端子１１、回路端子１２、及び可溶体１３が一体的に形成された不図示の板金構造物が、絶縁性樹脂で覆い固められて（モールディングされて）構成されている。
【００２９】
そして、絶縁性樹脂からなるハウジング１４には、可溶体１３を１つずつ内部に収容する四角筒状の収容室１４１が、３つ並列して設けられている。これら３つの収容室１４１の、図１における手前側の開口１４１ａ及び奥側の開口１４１ｂは、可溶体１３が溶断した際の金属の飛散防止等のために２枚のカバー１５，１６で塞がれる。これら２枚のカバー１５，１６は、いずれも透明性を有する樹脂で形成されており、このカバー１５，１６越しに可溶体１３の溶断が視認される。
【００３０】
ハウジング１４には、２枚のカバー１５，１６それぞれが各収容室１４１の貫通方向と交差する挿入方向Ｄ１，Ｄ２に、上記の２つの開口１４１ａ，１４１ｂを塞ぐ位置まで挿入される、手前側と奥側との一対の挿入路１４２が設けられている。各挿入路１４２は、３つの収容室１４１を区画する区画壁１４１ｃに設けられたスリット１４２ａと、ハウジング１４において、図１における最も右側の区画壁１４１ｃと対面する外壁１４３に設けられた挿入口１４２ｂとからなる。
【００３１】
ハウジング１４では、図１における左側に立設した外壁１４４の、２枚のカバー１５，１６それぞれにおける挿入方向Ｄ１，Ｄ２の先端側の外縁１５ａ，１６ａが当接する内壁面１４４ａには、各外縁１５ａ，１６ａが嵌め込まれる嵌入溝１４４ｂが設けられている。
【００３２】
２枚のカバー１５，１６は、右側の外壁１４３の挿入口１４２ｂ、３枚の区画壁１４２ａのスリット１４１ｄそれぞれを貫通して、その先端の外縁１５ａ，１６ａが、左側の外壁１４４の嵌入溝１４４ｂに達するまで挿入方向Ｄ１，Ｄ２に挿入される。そして、各カバー１５，１６の外縁１５ａ，１６ａが嵌入溝１４４ｂに嵌め込まれることで、各カバー１５，１６が、各収容室１４１における両端の開口１４１ａ，１４１ｂを塞ぐ位置に支持される。
【００３３】
ここで、２枚のカバー１５，１６それぞれは、平板状のカバー本体１５１，１６１と、回動片１５２，１６２とを有している。回動片１５２，１６２は、図１中に実線で示されている第１姿勢と点線で示されている第２姿勢との間で回動方向Ｄ３，Ｄ４に回動自在にカバー本体１５１，１６１に連結されている。また、回動片１５２，１６２は、図１〜図３に示されているように、各カバー１５，１６における、上記の挿入方向Ｄ１，Ｄ２における後端側に短冊状に設けられた片である。回動片１５２，１６２は、各カバー１５，１６の、図１における上辺側と下辺側それぞれに、つまり各カバー１５，１６について一対ずつ設けられている。
【００３４】
短冊状の回動片１５２，１６２は、その一端１５２ａ，１６２ａがカバー本体１５１，１６１に回動自在に連結されている。具体的には、回動片１５２，１６２における上記の一端１５２ａ，１６２ａが、カバー本体１５１，１６２と一体に繋がるとともに、その連結部分の厚みが薄くなっている。回動片１５２，１６２は、図１に示されているように、その薄くなった一端１５２ａ，１６２ａがヒンジの役割を果たし、カバー１５，１６を形成する樹脂の柔軟性により回動自在となっている。
【００３５】
回動片１５２，１６２は、各カバー１５，１６の挿入時には図１に実線で示されている第１姿勢に配置される。この状態の各カバー１５，１６が、挿入口１４２ｂから挿入路１４２へと挿入方向Ｄ１，Ｄ２に挿入される。ここで、本実施形態では、挿入後には、ハウジング１４における右側の外壁１４３と、この外壁１４３に対面する区画壁１４１ｃとの間に、回動片１５２，１６２が位置する。ハウジング１４には、挿入後にこのように位置する回動片１５２，１６２を作業者が不図示の治具等を用いて回動方向Ｄ３，Ｄ４に回動させるための作業窓１４５が、図１における手前側となる前面と奥側となる裏面とのそれぞれに設けられている。
【００３６】
回動後には、回動片１５２，１６２は、上記の右側の外壁１４３の内面、即ち、ハウジング１４の内側において上記の挿入方向Ｄ１，Ｄ２の前方を向いた内壁面１４３ａ（図２参照）に当接する。そして、２枚のカバー１５，１６それぞれから第２姿勢へと回動された回動片１５２，１６２が、右側の外壁１４３の内面に当接しつつ、後述するように互いに結合される。これにより、２枚のカバー１５，１６がハウジング１４の内部に抜け止めされた状態で保持される。
【００３７】
図３（ａ）には、回動前で第１姿勢にある回動片１５２，１６２が示され、図３（ｂ）には、回動途中の回動片１５２，１６２が示され、図３（ｃ）には、回動が完了して第２姿勢にあり互いに結合された回動片１５２，１６２が示されている。
【００３８】
図１における右側の外壁１４３と対面する区画壁１４２ａの略中央には、その右側の外壁１４３に向かって突出するとともに、収容室１４１の貫通方向に延びる突条１４１ｄが設けられている。本実施形態では、まず、図１中の奥側、図３中の右側に位置するカバー１６における一対の回動片１６２が回動方向Ｄ４に、突条１４１ｄに当接するまで回動される。その後、図１中の手前側、図３中の左側に位置するカバー１５における一対の回動片１５２が回動方向Ｄ３に、自由端である他端１５２ｂが、もう一方のカバー１６の回動片１６２における自由端である他端１６２ｂに重なるように回動される。
【００３９】
ここで、２枚のカバー１５，１６それぞれの回動片１５２，１６２における上記の他端１５２ｂ，１６２ｂは、図１や図３に示されるように、鉤型に屈曲した形状を有している。そして、図３に示されるように、２枚のカバー１５，１６それぞれから第２姿勢へと回動された回動片１５２，１６２は、鉤型の他端１５２ｂ，１６２ｂ同士が互いに結合するものとなっている。
【００４０】
図４（ａ）には、図１中の手前側、図３中の左側に位置するカバー１５の回動片１５２において鉤型に屈曲した他端１５２ｂと、図１中の奥側、図３中の右側に位置するカバー１６の回動片１６２において鉤型に屈曲した他端１６２ｂとが、側面図で示されている。また、図４（ｂ）には、各回動片１５２，１６２の他端１５２ｂ，１６２ｂを、図４（ａ）中の矢印Ｖ１方向に見た平面図が示されている。
【００４１】
この図４の拡大図に示されているように、図１中の手前側、図３中の左側に位置するカバー１５の回動片１５２において鉤型に屈曲した他端１５２ｂには突起１５２ｃが設けられている。そして、図１中の奥側、図３中の右側に位置するカバー１６の回動片１６２には、上記の突起１５２ｃが矢印Ｄ５方向に嵌入する穴１６２ｃが設けられている。
【００４２】
本実施形態では、図１における右側の外壁１４３に設けられる２つの挿入口１４２ｂは、いずれも、上記の突起１５２ｃ付きの鉤型の他端１５２ｂが通過できるように、上下の端部が鉤型に屈曲した略Ｃ字形状のスリットとなっている。一方、収容室１４１の区画壁１４１ｃに設けられるスリット１４２ａは、カバー本体１５１，１６１が通過するだけなので、上下方向に直線状に延びたスリットとなっている。尚、回動片１６２に突起が設けられていないカバー１６が通過する挿入口１４２ｂについては、上下の端部で屈曲して延びる枝孔の長さを突起の分だけ短くできるが、本実施形態では、加工を簡便なものとするため、２つの挿入口１４２ｂの形状の共通化が図られている。
【００４３】
図３（ｃ）に示されているように２枚のカバー１５，１６の回動片１５２，１６２が第２姿勢に回動されると、鉤型に屈曲した他端１５２ｂ，１６２ｂ同士が結合するとともに、一方の回動片１５２の突起１５２ｃが他方の回動片１６２の穴１６２ｃに嵌入する。この結合と突起１５２ｃの嵌入により、２枚のカバー１５，１６の回動片１５２，１６２が結合される。そして、回動片１５２，１６２がこのように結合されることで、２枚のカバー１５，１６がハウジング１４の内部に抜け止めされた状態で保持される。
【００４４】
以上に説明した本実施形態のヒューズユニット１によれば、収容室１４１の開口１４１ａ，１４１ｂを塞いで可溶体１３における金属の飛散防止等の役割を果たす２枚のカバー１５，１６は、開口１４１ａ，１４１ｂを塞いだ後、上記回動片１５２，１６２が上記第２姿勢へと回動されることで保持される。このとき、回動片１５２，１６２は、対面する他方のカバー１５，１６に向かうようにカバー本体１５１，１６１の面外方向に沿って突出する第２姿勢へと回動されるので、この回動片１５２，１６２の回動時に、平面視の外形寸法が大きくなるような変形がカバー１５，１６に生じない。このように、カバー１５，１６の取付けから、回動片１５２，１６２の回動と結合によるハウジング１４への保持に至るまで、カバー１５，１６には、平面視の外形寸法が拡大するような変形が生じない。このため、例えば図６を参照して説明した進入空間５２ｂのような、カバー１５，１６をハウジング１４に取り付ける際の外形寸法の拡大を見越した空間余裕が不要である。本実施形態では、このような空間余裕が不要な分、ハウジング１４の小型化が図られている。これにより、本実施形態のヒューズユニット１は、可溶体１３における金属の飛散防止等のためにカバー１５，１６を設けつつも、ヒューズユニット１の小型化が図られている。
【００４５】
また、本実施形態のヒューズユニット１によれば、２枚のカバー１５，１６は、開口１４１ａ，１４１ｂを塞ぐ位置に達するまでは上記の挿入路１４２に単純に挿入されるのみである。このため、この挿入中にも、例えば図６を参照して説明した、平面視の外形寸法が拡大するような変形がカバー１５，１６に生じない。このように、カバー１５，１６の挿入から、回動片１５２，１６２の回動と結合によるハウジング１４への保持に至るまで、カバー１５，１６には、平面視の外形寸法が拡大するような変形が生じない。これにより、本実施形態では、ヒューズユニット１について一層の小型化が図られている。
【００４６】
また、本実施形態のヒューズユニット１によれば、上記回動片１５２，１６２が上記第２姿勢へと回動され、図１中の右側の外壁１４３の内壁面１４３ａに当接しつつ互いに結合されることでカバー１５，１６がハウジング１４の内部に抜け止めされた状態で保持されている。
【００４７】
尚、回動後の回動片１５２，１６２については、カバー１５，１６がハウジング１４の内部に抜け止めされるのであれば、内壁面１４３ａに当接おらず、多少の隙間が空いていてもよい。ただし、回動片１５２，１６２を内壁面１４３ａに当接させることは、抜け止めした状態でのカバー１５，１６が安定して保持される点で有利である。
【００４８】
また、本実施形態のヒューズユニット１によれば、図１における左側に立設した外壁１４４の、カバー本体１５１，１６１における挿入方向Ｄ１，Ｄ２の先端側の外縁１５ａ，１６ａが当接する内壁面１４４ａに、その外縁１５ａ，１６ａが嵌め込まれる嵌入溝１４４ｂが設けられている。本実施形態のヒューズユニット１は、この嵌入溝１４４ｂへの外縁１５ａ，１６ａの嵌入により、ハウジング１４の内部におけるカバー１５，１６の姿勢の安定化が図られている。
【００４９】
また、本実施形態のヒューズユニット１によれば、ハウジング１４におけるカバー１５，１６の挿入路１４２が、３つの収容室１４１を区画する区画壁１４１ｃに設けられてカバー本体１５１，１６１が貫通するスリット１４２ａを含んで構成されたものとなっている。これにより、挿入路１４２におけるカバー１５，１６の姿勢の安定化が図られている。
【００５０】
また、本実施形態のヒューズユニット１によれば、２枚のカバー１５，１６それぞれの回動片１５２，１６２が一対設けられ、２枚のカバー１５，１６が、各カバー１５，１６に一対ずつ設けられた回動片１５２，１６２で結合される。これにより、ハウジング１４に対する２枚のカバー１５，１６の保持強度を高めることができる。
【００５１】
また、本実施形態のヒューズユニット１によれば、２枚のカバー１５，１６それぞれから第２姿勢へと回動された回動片１５２，１６２は、鉤型に屈曲した上記他端１５２ｂ，１６２ｂ同士が互いに結合するものとなっている。本実施形態のヒューズユニット１では、屈曲した上記他端１５２ｂ，１６２ｂ同士の結合により、回動片１５２，１６２の結合強度が高められている。
【００５２】
また、本実施形態のヒューズユニット１によれば、一方のカバー１５の回動片１５２の上記の他端１５２ｂには突起１５２ｃが設けられており、他方のカバー１６の回動片１６２には結合時にその突起１５２ｃが嵌入する穴１６２ｃが設けられている。本実施形態のヒューズユニット１では、この突起１５２ｃの穴１６２ｃへの嵌入により、回動片１５２，１６２の結合強度が一層高められている。
【００５３】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明のヒューズユニットの構成を具備する限り、勿論、本発明の範疇に含まれるものである。
【００５４】
例えば、上述した実施形態では、本発明にいうハウジングの一例として、可溶体１３を１つずつ収容する収容室１４１が３つ設けられたハウジング１４が例示されている。しかしながら、本発明にいうハウジングは、これに限るものではなく、例えば可溶体を１つ収容する収容室が１つ設けられたものであってもよく、可溶体を１つずつ収容する収容室が４つ以上設けられたものであってもよい。
【００５５】
また、本実施形態では、本発明にいう収容室の一例として、四角筒状の収容室１４１が例示されている。しかしながら、本発明にいう収容室は、これに限るものではなく、例えば円筒状のもの等であってもよい。本発明にいう収容室は、このように、筒状であればその具体的な形状を問うものではない。
【００５６】
また、本実施形態では、本発明にいう２枚のカバーの一例として、いずれも透明性を有する２枚のカバー１５，１６が例示されている。しかしながら、本発明にいう２枚のカバーはこれに限るものではなく、何れか１枚のみが透明性を有するものであってもよい。
【００５７】
また、本実施形態では、本発明にいう挿入路の一例として、収容室１４１の区画壁１４１ｃに設けられたスリット１４２ａと、ハウジング１４の外壁１４３に設けられた挿入口１４２ｂからなる挿入路１４２が例示されている。しかしながら、本発明にいう挿入路は、これに限るものではない。本発明にいう挿入路は、例えば、区画壁における収容室の貫通方向の両端縁を、カバーの厚み分程度にハウジングの外面から奥まった位置に配置することで、収容室の貫通方向の前面側と奥側とに、カバーが通過できる空間として形成したもの等であってもよい。このように、本発明にいう挿入路は、収容室の貫通方向と交差する挿入方向に開口を塞ぐ位置までカバーが挿入され、ハウジングの外面に挿入口が開口したものであれば、その具体的な構成を問うものではない。
【００５８】
また、本実施形態では、本発明にいう嵌入溝の一例として、カバー１５，１６の挿入方向Ｄ１，Ｄ２の前方の外縁１５ａ，１６ａが当接する外壁１４４の内壁面１４４ａに設けられた、その１５ａ，１６ａが嵌め込まれる嵌入溝１４４ｂが例示されている。しかしながら、本発明にいう嵌入溝は、これに限るものではなく、例えば、収容室の内面における区画壁の相互間に、カバーの挿入路に沿って設けられた溝であってもよい。この溝には、カバー本体における挿入方向に沿った側縁が嵌め込まれる。このように、本発明にいう嵌入溝は、カバー本体の外縁が当接する少なくとも一部の壁面に、その外縁が嵌め込まれるものであれば、その具体的な位置や構成を問うものではない。
【００５９】
また、本実施形態では、本発明にいうハウジングの一例として、カバー１５，１６の回動片１５２，１６２を作業者が回動させるための作業窓１４５が設けられ、収容室１４１の区画壁１４１ｃと外壁１４３との間の空間が、回動片１５２，１６２を回動させるための作業空間となった形態のハウジング１４が例示されている。しかしながら、本発明にいうハウジングはこれに限るものではない。本発明にいうハウジングは、収容室の広さにある程度の余裕がある場合に、例えば、この収容室における挿入方向の後方の区画壁近傍の空間が、回動片を回動させるための作業空間として利用される形態のもの等であってもよい。
【００６０】
また、本実施形態では、本発明にいう回動片の一例として、その一端１５２ａ，１６２ａの近傍が薄く形成されてカバー本体１５１，１６１に連結され、その薄くなった連結部分がヒンジの役割を果たす回動片１５２，１６２が例示されている。しかしながら、本発明にいう回動片は、これに限るものではなく、例えば、金属製の回動軸等を介して回動自在にカバー本体に連結されたもの等であってもよい。このように、本発明にいう回動片は、カバー本体に回動自在に連結されるものであれば、その具体的な連結構造を問うものではない。
【００６１】
また、本実施形態では、本発明にいう回動片の一例として、その他端１５２ｂ，１６２ｂが鉤型に屈曲し、さらに一方の他端１５２ｂには突起１５２ｃが設けられ他方の他端１６２ｂには穴１６２ｃが設けられて、鉤型の他端１５２ｂ，１６２ｂ同士が結合するとともに突起１５２ｃが穴１６２ｃに嵌入する回動片１５２，１６２が例示されている。しかしながら、本発明にいう回動片はこれに限るものではない。本発明にいう回動片は、例えば、突起や穴が設けられることなく鉤型の他端の結合のみが行われるものであってもよく、あるいは、鉤型に形成されることもなく単純な板状の他端が、接着剤による接着等により結合されるものであってもよい。本発明にいう回動片は、このように、互いに結合されるものであれば、その具体的な結合形態を問うものではない。
【００６２】
また、本実施形態では、本発明にいうヒューズユニットの一例として、２枚のカバー１５，１６が、ハウジング１４に設けられた挿入路１４２に挿入されて取り付けられるヒューズユニット１が例示されている。そして、ヒューズユニット１では、挿入されたカバー１５，１６が挿入口１４２ｂからにけ落ちないように、第２姿勢へと回動された回動片１５２，１６２が、内壁面１４３ａに当接しつつ互いに結合されるように構成されている。しかしながら、本発明にいうヒューズユニットはこれに限るものではない。本発明にいうヒューズユニットは、例えば、２枚のカバーが、可溶体の収容室の開口を塞ぐように、ハウジングの表裏面それぞれに重ねられるもの等であってもよい。この例では、上記のように重ねられた２枚のカバーそれぞれの回動片が第２姿勢へと回動されて互いに結合されることで、２枚のカバーがハウジングに保持されることとなる。
【符号の説明】
【００６３】
１      ヒューズユニット
１３    可溶体
１４    ハウジング
１５，１６  カバー
１５ａ，１６ａ  外縁
１４１    収容室
１４１ｃ  区画壁
１４２    挿入路
１４２ａ  スリット
１４２ｂ  挿入口
１４３，１４４    外壁
１４３ａ，１４４ａ  内壁面
１４４ｂ  嵌入溝
１５１，１６１  カバー本体
１５２，１６２  回動片
１５２ａ，１６２ａ  一端
１５２ｂ，１６２ｂ  他端
１５２ｃ  突起
１６２ｃ  穴
Ｄ１，Ｄ２    挿入方向
【図１】
0006498533.tif 000002
【図２】
0006498533.tif 000003
【図３】
0006498533.tif 000004
【図４】
0006498533.tif 000005
【図５】
0006498533.tif 000006
【図６】
0006498533.tif 000007